(57)【要約】      （修正有）【課題】移動中でも、移動中でなくても発電し、携帯電気機器等の蓄電池を充電できるキャリーバッグを提供する。【解決手段】キャリーバッグ等の車輪に発電装置を連結し、キャリーバッグの引き手を引いて移動中は車輪の自動的な回転により発電し、停止している場合は、車輪側面に収納された手回しハンドルを広げて、または別に備えられた手回しハンドルを駆動軸に取り付けて、手により車輪を回転させて、車輪に連結した発電装置を回転させて発電する。【選択図】図６
0003176417.tif 000002
【実用新案登録請求の範囲】
【請求項１】
車輪の回転により発電する発電装置を備えたキャリーバッグにおいて、当該の車輪に折りたたみ式のハンドルを備えて、当該キャリーバッグを引いて移動していないときでも手により車輪を効率よく回転させて発電できるようにしたキャリーバッグ。
【請求項２】
前記キャリーバッグの車輪配置位置を任意の位置とし、車輪を手で回転させるハンドルを取り外し式とすることを特徴とする、請求項１に記載のキャリーバッグ。
【考案の詳細な説明】
【技術分野】
【０００１】
本考案は、引き手を付属した車輪付きキャリーバッグに係り、当該車輪には発電装置が連結されており、引き手を引いて車輪を転動させつつ移動するときに同時に発電機を回転させて発電させる発電装置を備えたキャリーバッグに関するものであり、とくに本考案は、引き手を引いて移動していないときでも車輪に折りたたんで収納されたハンドルを広げて、または別に備えられた手回しハンドルを駆動軸に取り付けて、手動により車輪を効率よく回転させて発電可能にするものである。
【背景技術】
【０００２】
近年蓄電池を搭載した電気機器が小型化して持ち運びに便利になってきているが、出先においての蓄電池の消耗に対する充電は専用の充電器を必要としたり、代わりの電池を接続したりしなければならない。
【０００３】
そこで最近時はショルダーバッグに貼り付けた太陽電池パネルから充電したり、携帯用の手回し式発電機などによる充電が実用化されている。（例えば、特許文献１および特許文献２参照）また既存技術として、発電装置を装備したキャリアバッグについての出願もなされている。（特許文献３参照）
【先行技術文献】
【特許文献】
【０００４】
【特許文献１】特開平１１−２９９５２８
【特許文献２】特開平１１−３４１７０１
【特許文献３】特開２０１０−２４６３１０
【考案の概要】
【考案が解決しようとする課題】
【０００５】
しかしながら、実用化されている携帯電気機器の蓄電池の充電のための発電装置は、太陽光発電装置であったり、手回し式の発電装置であったりして、蓄電池駆動式の携帯電気機器の蓄電池を完全に充電するには充分といえるほどのものではないことが多い。
【０００６】
また、携帯電気機器の蓄電池を完全に充電しようとする場合には、比較的重量の重い専用の充電器を常に持ち歩く必要がある。
【０００７】
さらに、専用の充電器が無い場合は、別に接続する電池が必要となる。
【０００８】
そこで、専用の充電器を必要とせず、また別な電池も必要としないで効率よく携帯電気機器の充電ができる発電装置が求められている。
【０００９】
一方、近年は戸外を移動するにあたり、車輪と引き手の取り付けられたバッグが普及してきており、比較的重量の重い携帯電気機器はこれに入れて持ち運ぶケースが増加している。
【００１０】
さらに、キャリーバッグ等の引き手を引いて移動していない場合でも携帯電気機器の充電のための発電が必要な場合もある。
【００１１】
本考案はこの点に鑑みてなされたものであり、キャリーバッグ等の引き手を引いての移動中でも、移動していない場合でも発電装置を回転させて発電し、携帯電気機器の蓄電池を充電できる装置を提供することを目的とする。
【課題を解決するための手段】
【００１２】
前述した目的を達成するため、実用新案登録請求の範囲の請求項１に記載の本考案の発電装置をそなえたキャリーバッグの車輪には、手回し用のハンドルが収納されている。
【００１３】
当該キャリーバッグの引き手を引いて移動していない状態でも、前述の手回し用ハンドルを広げて手動で車輪を効率よく回転させることが可能である。
【００１４】
なお、前述の手回し用ハンドルは取り外し式として、必要時に取り付け使用する形態としてもよい。
【考案の効果】
【００１５】
本考案の手回しハンドルを付属した発電装置付きキャリーバッグによれば、キャリーバッグの引き手を引いて移動中の車輪の回転を利用した発電による携帯電気機器等の蓄電池の充電のみならず、引き手を引いて移動していない場合でも手回し用のハンドルにより車輪を回転させることができ、車輪に連結した発電装置を効率よく回転させて発電することができて、携帯電気機器の蓄電池を充電することができる。
【図面の簡単な説明】
【００１６】
【図１】本考案に係る発電装置を組み込んだキャリーバッグの平面図。
【図２】本考案に係る発電装置を組み込んだキャリーバッグの正面図。
【図３】本考案に係る発電装置を組み込んだキャリーバッグの側面図。
【図４】本考案に係る発電装置を組み込んだキャリーバッグの、車輪手回しハンドルを広げた状態の平面図。
【図５】本考案に係る発電装置を組み込んだキャリーバッグの、車輪手回しハンドルを広げた状態の正面図。
【図６】本考案に係る発電装置を組み込んだキャリーバッグの、車輪手回しハンドルを広げた状態の側面図。
【図７】本考案に係る発電装置を組み込んだキャリーバッグの、車輪手回しハンドルを取り外し式にした場合の正面図。
【考案を実施するための形態】
【実施例１】
【００１７】
以下、本考案を図面に示す実施形態により説明する。
【００１８】
図１，２，および３は、本考案に係る発電装置を組み込んだキャリーバッグの第１実施形態を示す構成図であり、キャリーバッグ本体１には、引き手２および複数の車輪３が付属されている。
【００１９】
さらに、キャリーバッグ本体１の下部には、発電装置５が装備され、車輪３の片側と、駆動軸８により増速機７を介して発電機６に連結されている。
【００２０】
前述の構成により、キャリーバッグ本体１の、引き手２を引いて移動する際に、接地している車輪３は回転し、駆動軸８により連結された増速機７と発電機６とが回転して、キャリーバッグ本体１の中に収納された携帯電気機器等の蓄電池を充電することができる。
【００２１】
このとき、図３に示すように、手回しハンドル４は、車輪３の側面に折りたたんで収納されている。
【００２２】
図４，５および６は、本考案に係る発電装置を組み込んだキャリーバッグの、第１実施形態の、車輪手回しハンドル４を広げた状態を示す。
【００２３】
前述の状態は、キャリーバッグ本体１の、引き手２を引いて移動してはいない状態
を意味しており、車輪３は、接地面から回転させられることはない。
【００２４】
しかしながら、キャリーバッグを引いて移動していない場合でも、携帯電気機器等の蓄電池を充電する必要がある場合も考えられる。
【００２５】
車輪手回しハンドル４は、前述のような場合に有効な装備であり、いつでもどこでも発電装置５を作動させられ、携帯電気機器等の蓄電池を充電することができる。
【実施例２】
【００２６】
当該キャリーバッグの車輪の配置は、図７に示すように、キャリーバッグの中心に寄った位置であってもよく、車輪手回しハンドルは取り外し式でもよい。
【産業上の利用可能性】
【００２７】
当該キャリーバッグは、旅行用、ビジネス用のみならず、非常時の物資の運搬などと同時に、小電力電源の確保ができ、それにより携帯ラジオ、携帯電話、懐中電灯、ノートパソコンなどの電気製品を動かすことができる。
【符号の説明】
【００２８】
１  キャリーバッグ本体
２  引き手
３  キャリーバッグの車輪
４  手回しハンドル
５  発電装置
６  発電機
７  増速機
８  駆動軸
【図１】
0003176417.tif 000003
【図２】
0003176417.tif 000004
【図３】
0003176417.tif 000005
【図４】
0003176417.tif 000006
【図５】
0003176417.tif 000007
【図６】
0003176417.tif 000008
【図７】
0003176417.tif 000009